(57)【要約】【課題】照明器具を構成する点灯装置の寿命を判別する手段を提供する。【解決手段】少なくとも負荷として光を出力する光源Ｌａを点灯させる点灯装置１に、点灯装置１の使用時間とともに特性が変化する部品と、上記特性の変化を検出する検出回路４と、上記検出結果を元に点灯装置１の寿命を判別する判別回路５を備えた。特性が変化する部品の初期特性値を記憶しておいて、初期特性値からの変化量によって寿命を判別するようにしても良い。上記特性が変化する部品がコンデンサＣ１である場合、検出回路はコンデンサの両端電圧、あるいはコンデンサに流れる電流のリップル成分、あるいはコンデンサの温度を検出する。【選択図】図１
2006236666.tif 000002
【特許請求の範囲】
【請求項１】
少なくとも負荷として光を出力する光源を点灯させる点灯装置に、点灯装置の使用時間とともに特性が変化する部品と、上記特性の変化を検出する検出手段と、上記検出結果を元に点灯装置の寿命を判別する判別手段を備えたことを特徴とする点灯装置。
【請求項２】
請求項１において、判別手段は特性が変化する部品の初期特性値を記憶しておく記憶部を備え、検出手段による検出値の初期特性値からの変化量によって寿命を判別することを特徴とする点灯装置。
【請求項３】
請求項１または２において、特性が変化する部品がコンデンサであり、検出手段はコンデンサの両端電圧を検出することを特徴とする点灯装置。
【請求項４】
請求項１または２において、特性が変化する部品がコンデンサであり、検出手段はコンデンサに流れる電流のリップル成分を検出することを特徴とする点灯装置。
【請求項５】
請求項１または２において、特性が変化する部品がコンデンサであり、検出手段はコンデンサの温度を検出することを特徴とする点灯装置。
【請求項６】
請求項１または２において、特性が変化する部品が光素子であることを特徴とする点灯装置。
【請求項７】
請求項１または２において、特性が変化する部品が電圧応答型２端子スイッチ素子であることを特徴とする点灯装置。
【請求項８】
少なくとも負荷として光を出力する光源を点灯させる点灯装置に、点灯装置の使用時間とともに特性が変化する部品と、上記特性の変化によって変化する点灯装置の特性を検出する検出手段と、上記検出結果を元に点灯装置の寿命を判別する判別手段を備えたことを特徴とする点灯装置。
【請求項９】
請求項８において、判別手段は点灯装置の初期特性値を記憶しておく記憶部を備え、検出手段による検出値の初期特性値からの変化量によって寿命を判別することを特徴とする点灯装置。
【請求項１０】
請求項８または９において、検出手段は、点灯装置内の騒音レベルを検出する音センサ素子を含むことを特徴とする点灯装置。
【請求項１１】
請求項８または９において、検出手段は、光源の光出力を検出する光素子を含むことを特教とする点灯装置。
【請求項１２】
請求項８または９において、検出手段は、光源又は点灯装置の温度を検出することを特徴とする点灯装置。
【請求項１３】
請求項８または９において、検出手段は、点灯装置の漏洩電流を検出することを特徴とする点灯装置。
【請求項１４】
請求項８または９において、検出手段は、点灯装置の入力電力と出力電力の差である回路損失を検出することを特徴とする点灯装置。
【請求項１５】
請求項８または９において、光源を始動させるために始動時に光源に安定点灯時よりも高電圧を印加する始動回路を具備し、検出手段は上記高電圧を検出することを特徴とする点灯装置。
【請求項１６】
請求項１〜１５のいずれかに記載の点灯装置と光源を搭載した照明器具。
【請求項１７】
請求項１６に記載の照明器具を組み合わせて成る照明システム。
【発明の詳細な説明】
【技術分野】
【０００１】
本発明は少なくとも負荷として光を出力する光源を点灯させる点灯装置、この点灯装置と光源を含む照明器具および照明システムに関する技術である。
【背景技術】
【０００２】
蛍光ランプ、ＨＩＤランプ等を使用した照明器具が使用されるようになって久しい。照明器具は使用において、ランプが寿命になると点灯しなくなる、点灯しにくくなる、或いは従来の明るさが出なくなるというように、使用者に寿命が来たことが容易に分かり、ランプを交換することになる。
【０００３】
一方、照明器具自体にも耐用年数、所謂寿命は存在する。それは、金属部品の疲労、酸化、プラスチック部品の劣化、変色、破損、安定器を構成する部品の劣化、絶縁抵抗の低下等によって現れる。にもかかわらず、ランプが正常に点灯している場合、一般的にユーザは照明器具の寿命に気づかず使用し続けることが多い。
【０００４】
寿命を越えて使用した場合の不都合点は、照明器具としての適正な性能が得られないばかりでなく、劣化した部位によっては、器具の破損、落下等の不安全状態を引き起こす危険性がある。
【０００５】
一般の電子機器、例えはテレビ等では種々の劣化によって、テレビの性能、例えは、画像の不鮮明さ、色変化、音の不調等によって、初期からの変化が比較的容易に分かり、機器が劣化してきていることが推測されやすい。
【０００６】
ところがこれに対し、照明器具は主とした機能が、ランプを適正に光らせ、対象物を照らすことであるので、照明器具の劣化度合いが分かりにくいという現状がある。このため、使用者には器具の劣化が非常に分かりにくく、耐用年数が例えば１０年の照明器具が１０年以上、場合によっては数十年以上使用され続けることがある。
【０００７】
点灯装置の寿命を判定する手段としては、特開２００１−１８５３７４号や特開２００４−２５９５３３号等がある。これらの発明には放電灯の点灯時間を積算カウントし、所定時間を超えたことで寿命と判定する思想が開示されている。また、有寿命部品の温度を加味して積算カウント値を補正する思想も開示されている。
【０００８】
しかし、照明器具の寿命は使用環境によって大きく累なり、単純に累積点灯時間をカウントするだけでは正確な寿命を判定しているとはいえない。即ち使用環境等の違いにより累積点灯時間のみで器具寿命を判別すると、器具寿命と判別される前に有寿命部品が故障したり、逆に実質的に器具寿命に至っていないのに寿命と判別されて、寿命判別精度が保てない可能性がある。また、寿命判定後の告知方法についての具体的な開示は無い。
【０００９】
また照明器具ではないが、電子ブロック内に含まれるコンデンサの特性変化を検出することで寿命を判別する従来例として、特開平７−２２２４３６号や特開平８−８００５５号や特許第３３２４２３９号等がある。しかし、照明器具はこれらの従来例に示される電子ブロックに比べて、使用される環境が室内から屋外までのように広範囲であり、技術課題がより難題であると言った点で、技術的に異なるものと考えられる。
【特許文献１】特開２００１−１８５３７４号公報
【特許文献２】特開２００４−２５９５３３号公報
【特許文献３】特開平７−２２２４３６号公報
【特許文献４】特開平８−８００５５号公報
【特許文献５】特許第３３２４２３９号公報
【発明の開示】
【発明が解決しようとする課題】
【００１０】
照明器具の現状の形態は、寿命が来たことが使用者に容易に判読されるようにはなっていない。従って、照明器具の寿命による不安全状態を起こさないような手段が求められている。
【００１１】
本発明はこのような状況に鑑みてなされたものであり、照明器具を構成する点灯装置の寿命を判別する手段を提供することを課題とするものである。
【課題を解決するための手段】
【００１２】
本発明の点灯装置にあっては、上記の課題を解決するために、図１に示すように、少なくとも負荷として光を出力する光源Ｌａを点灯させる点灯装置１に、点灯装置１の使用時間とともに特性が変化する部品（コンデンサＣ１）と、上記特性の変化を検出する検出回路４と、上記検出結果を元に点灯装置１の寿命を判別する判別回路５を備えたことを特徴とするものである。
【発明の効果】
【００１３】
本発明によれば、少なくとも負荷として光を出力する光源を点灯させる点灯装置、または、この点灯装置を含む照明器具、もしくはこの照明器具を組み合わせてなる照明システムにおいて、点灯装置の寿命を判別することができ、これを搭載した照明器具、これらを組み合わせた照明システムを適正に使用することが可能となる。
【発明を実施するための最良の形態】
【００１４】
（実施形態１）
図１、図２に本発明の実施形態１を示す。図中、Ｖｓは交流電源、Ｌａは光源としてのランプ、１は点灯装置、２は整流回路、３は点灯回路、４は電圧検出回路、５は寿命判別回路、６はタイマー、７は比較判別回路である。本実施形態は点灯装置１内のコンデンサＣ１が点灯装置１の寿命末期時に容量が低下することにより、充放電の時間が初期に比べて短くなることを検出することで、点灯装置１の寿命を判別できるようにしたものである。
【００１５】
コンデンサＣ１の両端電圧Ｖｄｃの電源投入時及び電源遮断時の変化を図２に示す。コンデンサＣ１の両端電圧Ｖｄｃを電圧検出回路４で検出し、所定の電圧Ｖ１〜Ｖ２間を充放電するのに要する時間をタイマー６で計測する。
【００１６】
点灯装置１の使用初期ではコンデンサＣ１の容量が十分であるため、図２の実線で示すように充放電時間はＴ０と十分に長くなっているが、点灯装置１の寿命末期時にはコンデンサＣ１の容量が減少することにより、図２の鎖線で示すように充放電時間はＴａと短くなってくる。そこで、この充放電時間Ｔ０〜Ｔａの間に寿命判別基準値Ｔｒｅｆを予め設定しておいて、比較判別回路７で比較することで、寿命判別を行うことができる。なお、充電時間と放電時間とが異なる場合には、それぞれについて寿命判別基準値を設定しておいても良いことは言うまでもない。
【００１７】
本実施形態において寿命の判別方法として、電源投入時及び電源遮断時としたが、コンデンサＣ１の両端にスイッチング素子を設けておいて、外部からの信号に応じてこのスイッチング素子をオン・オフさせ、所望の時期に寿命判別を行わせるようにしても良い。
【００１８】
本実施形態によれば、点灯装置の寿命末期時に点灯装置内にあるコンデンサの充放電時間により点灯装置の寿命を判別することができる。
【００１９】
（実施形態２）
図３、図４に本発明の実施形態２を示す。本実施形態は点灯装置１内のコンデンサＣ１が点灯装置１の寿命末期時に容量が低下することにより、その両端電圧Ｖｄｃに含まれるリップル成分が初期に比べて大きくなることを検出し、点灯装置１の寿命を判別できるようにしたものである。
【００２０】
コンデンサＣ１の両端電圧Ｖｄｃに含まれるリップル成分の拡大図を図４（ａ）に示す。コンデンサＣ１の両端電圧Ｖｄｃを電圧検出回路４で検出し、所定の電圧Ｖ３を下回る電圧が発生するか否かをリップル検出回路８で検出し、図４（ｂ），（ｃ）のような出力信号を比較判別回路７に送出する。点灯装置１の使用初期ではコンデンサＣ１の容量が十分であるため、図４（ａ）の実線に示すようにリップル成分があまり多く含まれず、Ｖｄｃが所定の電圧Ｖ３を下回ることがなく、リップル検出回路８の出力信号は図４（ｃ）のように一定である。一方、点灯装置１の寿命末期時にはコンデンサＣ１の容量が減少することにより、図４（ａ）の鎖線に示すようにＶｄｃにリップル成分が多く含まれ、所定の電圧Ｖ３を下回るような電圧が現れ、リップル検出回路８の出力信号は図４（ｂ）の鎖線で示すようにパルス信号になる。このパルス信号を比較判別回路７で認識し、寿命判別を行うことができる。
【００２１】
本実施形態において寿命の判別方法として、コンデンサＣ１の両端電圧を検出したが、コンデンサＣ１に流れる電流を抵抗やカレントトランスなどを用いて検出して、電流に含まれるリップル成分を用いても同様に寿命判別を行うことができる。
【００２２】
本実施形態によれば、点灯装置の寿命末期時に点灯装置内にあるコンデンサの両端電圧やコンデンサに流れる電流に含まれるリップル成分により点灯装置の寿命を判別することができる。
【００２３】
（実施形態３）
本実施形態は点灯装置１内のコンデンサＣ１が点灯装置１の寿命末期時に容量が低下したり、コンデンサＣ１内部の損失角の正接ｔａｎδや等価直列抵抗ＥＳＲが増大することにより、コンデンサＣ１が発熱することを検出し、点灯装置１の寿命を判別できるようにしたものである。
【００２４】
これはコンデンサＣ１に直接または近傍に温度センサ素子を取り付け、この温度検出値が所定の温度を超えると寿命と判別するものである。
【００２５】
本実施形態において、温度センサ素子はサーミスタやサーマルＩＣなど、温度を電気信号に変換できる素子であれば何でも良い。
【００２６】
本実施形態によれば、点灯装置１の寿命末期時に点灯装置１内にあるコンデンサＣ１の温度により点灯装置１の寿命を判別することができる。
【００２７】
（実施形態４）
本発明の実施形態４を図５及び図６を用いて説明する。図５の回路は、交流電源Ｖｓと、交流電源Ｖｓを遮断するスイッチＳＷと、交流電源Ｖｓを整流する整流回路２と、整流された電圧を平滑するコンデンサＣ１と、寿命検出用に設けられたフォトカプラ９と、フォトカプラ９の発光素子に一定電流を流す電流源Ｉｓと、フォトカプラ９の入力順電流Ｉｓに対してＣＴＲ（電流伝達率）倍された電流値を電圧変換するための変換抵抗Ｒｓとから構成される検出回路と、抵抗Ｒｓの両端電圧から寿命を判定するコンパレータ１０より構成された判定回路と、平滑コンデンサＣ１の電力を交流電力に変換する点灯回路３と、光源としてのランプＬａから構成されている。
【００２８】
本実施形態では、放電灯点灯装置について記載するが、本発明の寿命判定手法は、放電灯点灯装置に限らず、負荷として光を出力する光源（例えば、ＬＥＤなど）を点灯させる点灯装置であれは何でも良い。
【００２９】
以下、寿命検出および寿命判定について、図５及び図６を用いて詳細に説明する。まず、図６に、一般的なフォトカプラの使用時間に対するＣＴＲ（電流伝達率）の関係を示す。横軸は対数目盛である。このグラフより使用時間とともに、ＣＴＲは減少していることが分かる。そこで、図５のように、製品内にフォトカプラ９を実装し、そのフォトカプラ９のＣＴＲの変化の仕方を抵抗Ｒｓの電圧値に変換して検出し、あらかじめ設定されていた基準電圧Ｖｒｅｆと比較することにより、製品寿命を検出でき、製品寿命における不具合を回避することが可能である。
【００３０】
さらに、図６に示すように、フォトカプラの場合、使用雰囲気温度によりＣＴＲの変化の仕方が大きく異なるため、判定回路のしきい値Ｖｒｅｆを抵抗分圧回路などを用いて設定する際に、分圧抵抗の少なくとも１つとして温度依存素子（例えばサーミスタなど）を利用することにより、使用温度による寿命判定値への影響を小さくできる。
【００３１】
（実施形態５）
本発明の実施形態５を図７及び図８を用いて説明する。本実施形態では、構成は図５とほぼ同等であるので、重複する説明は省略する。図７では、寿命検出手段として、ＬＥＤ１１を用いている。図８に一般的なＬＥＤの光束減退特性を示す。図８に示すように、ＬＥＤは使用時間とともに光束が低下してくる。この特性を、光束測定手段として、例えばフォトダイオード１２で検出する。フォトダイオード１２により検出された光電流は抵抗により電流−電圧変換され、オペアンプ１３により増幅され、検出電圧Ｖｏが得られる。この検出電圧Ｖｏが、あらかじめ設定された所定電圧Ｖｒｅｆよりも小さくなったとき、製品の寿命であるとコンパレータ１０により判定し、スイッチＳＷを開いて、製品寿命における不具合を回避することが可能である。
【００３２】
（実施形態６）
図９、図１０に本発明の実施形態６を示す。本実施形態は、点灯装置１内の電圧応答型２端子スイッチ素子Ｑが点灯装置１の寿命末期時にオン電圧が低下することを検出し、点灯装置１の寿命を判別できるようにしたものである。図９において、充電回路３ａによりコンデンサＣが充電され、コンデンサＣの充電電圧が電圧応答型２端子スイッチ素子Ｑのオン電圧に達すると、電圧応答型２端子スイッチ素子Ｑがオンし、コンデンサＣの充電電圧がトランスＰＴの一次巻線を介して放電される。この時に流れる急竣な放電電流により、トランスＰＴの二次巻線に電圧が発生する。例えば、光源Ｌａが高圧放電灯のように始動時に高電圧を必要とする場合、このトランスＰＴの二次巻線に発生した高電圧を利用して始動させる。以上の充放電動作を図１０のように繰り返す訳であるが、このような電圧応答型２端子スイッチ素子Ｑは使用回数に応じて徐々にオン電圧が低くなっていくことが知られている。
【００３３】
この寿命による本回路の動作の変化を示したのが図１０である。図示されるように、初期にオン電圧がＶａであった場合、１回の充電に要する時間がＴａとなり、このＴａを周期として充放電が繰り返される。一方、寿命末期時にオン電圧がＶｂとなると、１回の充電に要する時間は初期のＴａに対して短いＴｂとなる。よって、このオン電圧の変化または充放電の周期の変化を比較判別回路７で検出し、点灯装置１の寿命を判別することができる。
【００３４】
また、電圧応答型２端子スイッチ素子Ｑの寿命末期時の現象の一つとして、一旦オンした場合にオン状態が継続してしまう現象がある。この場合には、図１０のように充放電の周期が初期のＴａより長いＴｃとなるので、この周期が長くなったことを検出して、点灯装置１の寿命を判別することもできる。
【００３５】
本実施形態において、電圧応答型２端子スイッチ素子Ｑとしては、放電ギャップのような空隙素子が一般的であるが、半導体素子であっても良い。
【００３６】
本実施形態によれば、点灯装置の寿命末期時に点灯装置内にある電圧応答型２端子スイッチ素子のオン電圧または周期の変化により点灯装置の寿命を判別することができる。
【００３７】
（実施形態７）
図１１〜図１３に本発明の実施形態７を示す。本実施形態は点灯装置１内のコンデンサＣ２が点灯装置１の寿命末期時に容量が低下することにより、インダクタＬ２に流れる電流に含まれる高周波リップル成分が増大することにより、増大するインダクタＬ２から発生する騒音を音センサ素子Ｓ２で検出し、点灯装置１の寿命を判別できるようにしたものである。図１１（ｂ）は点灯回路３内部の寿命判別回路５の構成を示している。
【００３８】
ここで、ランプ電流Ｉｌａを拡大してみると、コンデンサＣ２とインダクタＬ２の数値にもよるが、図１２に示すように若干の高周波リップル成分が含まれている。この高周波リップル成分が点灯装置１の寿命と共に、コンデンサＣ２の容量低下によって、図１２（ａ）から（ｂ）に示すように増大していき、図１３に示すようにインダクタＬ２の騒音レベルを増大させるので、この騒音値を検知できる位置に音センサ素子Ｓ２を配置することにより、図１３に示すように音センサ素子Ｓ２の出力信号として検出し、点灯装置１の寿命を判別することができる。
【００３９】
本実施形態において、音センサ素子Ｓ２としては、超音波センサや超小型アンプ内蔵マイク、コンデンサマイクなど、音を電気信号に変換できる素子であれば何でも良い。また音センサ素子Ｓ２はインダクタＬ２に直接取付けても良いし、インダクタＬ２の近傍に配置して、インダクタＬ２の騒音レベルを検出できるのであれば、その取付方法は限定されない。
【００４０】
本実施形態によれば、点灯装置の寿命末期時に点灯装置内で増大する騒音レベルにより点灯装置の寿命を判別することができる。
【００４１】
（実施形態８）
図１４、図１５に本発明の実施形態８を示す。本実施形態は実施形態７と同様に点灯装置１の寿命末期時にランプ電流Ｉｌａに含まれるリップル成分の増加を、ランプＬａからの光出力として光センサ素子Ｓ１で検出し、点灯装置１の寿命を判別できるようにしたものである。実施形態７に示したのと同様に、ランプ電流Ｉｌａに含まれる高周波リップル成分が点灯装置１の寿命とともに増大していく結果、ランプＬａの光出力波形にも同様のリップル成分が重畳されていくので、この光出力を光センサ素子Ｓ１で検出し、そのリップルの増加レベルを図１５に示すように光センサ素子Ｓ１の出力信号として検出し、点灯装置１の寿命を判別することができる。
【００４２】
本実施形態において、光センサ素子Ｓ１としては、ＣｄＳやフォトダイオードなど、光を電気信号に変換できる素子であれば何でも良い。また、光センサ素子Ｓ１は点灯装置１のケース外郭に取付けても良いし、点灯装置１からは電気接続用の端子だけを出しておき、ランプＬａの近傍に光センサ素子Ｓ１を器具等に直接取付けるなど、光出力を検出できるのであればその取付方法は限定されない。
【００４３】
本実施形態によれば、点灯装置の寿命末期時に増大するランプ光出力のリップル成分により点灯装置の寿命を判別することができる。
【００４４】
（実施形態９）
図１６に本発明の実施形態９の動作を示す。本実施形態は実施形態８と同様に光センサ素子Ｓ１を用いて、点灯装置１の寿命末期時に減少していくランプＬａからの光出力を検出し、点灯装置１の寿命を判別できるようにしたものである。本実施形態において、回路図は先の実施形態８の図１４と同じであり、また光センサ素子Ｓ１の種別、取付方法等についても同様である。なお、本実施形態においては、点灯装置の寿命期間内に負荷として接続するランプが寿命を迎えて光束減退する可能性もあるので、ランプ寿命末期時と点灯装置の寿命末期時の差異を明確にしておく必要がある。
【００４５】
本実施形態によれば、点灯装置の寿命末期時に減少するランプ光出力により点灯装置の寿命を判別することができる。
【００４６】
（実施形態１０）
本実施形態は、図１４の構成と図１６の動作において、光センサ素子Ｓ１に替えて、温度センサ素子を用いて、点灯装置１の寿命末期時に減少していくランプＬａからの光出力に伴うランプ温度の低下を検出し、点灯装置１の寿命を判別できるようにしたものである。本実施形態において、温度センサ素子としては、サーミスタやサーマルＩＣなど、温度を電気信号に変換できる素子であれば何でも良い。また、温度センサ素子は点灯装置のケース外郭に取付けても良いし、点灯装置からは電気接続用の端子だけを出しておき、ランプＬａの近傍に温度センサ素子を器具等に直接取付けるなど、ランプの温度を検出できるのであればその取付方法は限定されない。
【００４７】
本実施形態によれば、点灯装置の寿命末期時に低下するランプ温度により点灯装置の寿命を判別することができる。
【００４８】
（実施形態１１）
本発明の実施形態１１の具体的回路図を図１７に示す。交流電源Ｖｓを製品に供給するかしないかをスイッチ動作で選択できる電源スイッチＳＷと、交流電源Ｖｓを整流・平滑する整流回路２及び平滑コンデンサＣ１、平滑コンデンサＣ１の直流電圧を所望の電圧及び電流に変換し、負荷である光源Ｌａに電力を供給する点灯回路３、点灯回路３及びその他から発生するノイズ成分を除去するフィルタコンデンサＣｆ、フィルタコンデンサＣｆに流れる電流の大きさを検出するフォトカプラ９、フォトカプラ９に流れた電流を電圧変換する抵抗Ｒｓ、抵抗Ｒｓの電圧値の大きさにより製品寿命を判定する比較器１０からなる寿命判定回路から構成される。一般的に、ノイズ成分は寿命と共に増加傾向になる。それは、例えば、寿命とともに平滑用の電解コンデンサＣ１の容量が減少し、その結果、電圧リップルが増大するからであり、電圧リップルの増大により、スイッチング素子などのスイッチングノイズ成分は増加する。このような一連の動作によりノイズ除去用のコンデンサＣｆに流れる電流が増加し、そして、フォトトランジスタ９の受光素子側の電流値も増加する。その電流値の増加に伴い、抵抗Ｒｓの電圧値も上昇する。その上昇した電圧値をあらかじめ設定しておいた所定電圧Ｖｒｅｆと比較することにより、製品の寿命を判定することができる。
【００４９】
（実施形態１２）
本発明の実施形態１２の回路図を図１８に示す。点灯装置１とマイクロコンピュータから構成された寿命判定回路５とで構成されている。点灯装置１の入力電圧、入力電流、出力電圧、出力電流を検出してマイクロコンピュータの入力ポートに入力する。具体的な検出手段としては、例えば、電圧は抵抗分圧により検出し、電流は検出抵抗やカレントトランスにより検出する。図中、５ａは入力電圧と入力電流を乗算して入力電力を演算する第１の乗算手段、５ｂは出力電圧と出力電流を乗算して出力電力を演算する第２の乗算手段、５ｃは入力電力と出力電力の差を演算して回路損失を算出する減算手段である。あらかじめ定められた設定値５ｅと算出された回路損失を比較回路５ｄで比較し、回路損失が設定値５ｅを超える場合、点灯装置１が寿命と判断する。越えない場合、寿命と判断しない。比較回路５ｄの出力は制御信号として点灯装置１に与えられ、寿命末期には点灯装置１の出力を低減または停止させるように動作する。
【００５０】
（実施形態１３）
本実施形態は実施形態１２において、点灯装置の回路損失を温度センサ素子を用いて検出するものである。すなわち、点灯装置の回路損失が増大すると、その損失分が点灯装置自体の発熱となり、点灯装置内のある部品または点灯装置全体の温度が上昇するので、それを温度センサ素子を用いて検出するものである。検出後の動作は実施形態１２と同様である。
【００５１】
（実施形態１４）
図１９、図２０に実施形態１４を示す。本実施形態は実施形態６に示したような、光源Ｌａが高圧放電灯のように始動時に高電圧を必要とする場合に、実際に光源Ｌａに印加される高電圧を高電圧検出回路１４により検出して、その高電圧の電圧値の変化を比較判別回路７で判別することにより、点灯装置１の寿命を判別できるようにしたものである。
【００５２】
高電圧波形はコンデンサＣの容量低下、電圧応答型２端子スイッチ素子Ｑの劣化、トランスＰＴの絶縁劣化等により、図２０に示すようにその電圧波形が変化し、電圧値が初期のＶａに対し、上昇（Ｖｃ）したり、減少（Ｖｂ）したりするので、この変化を比較判別回路７で判別し、点灯装置１の寿命を判別することができる。
【００５３】
本実施形態において、高電圧波形の変化を検出する手段として、電圧値を比較するだけではなく、例えば電圧波形の基準波形の許容範囲を設定しておき、その波形と実際の波形とを比較して、許容値を外れた場合に寿命と判定しても良い。また、高電圧の検出方法として、直接その高電圧を検出するのではなく、例えばトランスＰＴにさらに巻線を追加して、その巻線に発生する電圧から検出しても良い。
【００５４】
本実施形態によれば、点灯装置の寿命末期時に高電圧波形の変化により点灯装置の寿命を判別することができる。
【００５５】
（実施形態１５）
図２１、図２２に実施形態１５を示す。本実施形態は実施形態１４に示したような、光源Ｌａが高圧放電灯のように始動時に高電圧を必要とする場合に、インダクタンス要素Ｔ３とコンデンサＣ３を含む共振回路を形成し、始動時の所定時間、共振周波数付近で、かつ、所定周波数可変幅で掃引された交番電圧を印加することで、光源Ｌａに共振電圧によって生じる安定点灯時電圧より高い電圧を印加するようにした点灯装置１において、実施形態１４と同様に、光源Ｌａに印加される高電圧を高電圧検出回路１４により検出して、その高電圧の電圧値の変化を比較判別回路７で判別することにより、点灯装置１の寿命を判別できるようにしたものである。
【００５６】
高電圧波形はコンデンサＣ３の容量低下、トランスＴ３の絶縁劣化等により、図２２に示すようにその電圧波形が変化し、電圧値が初期のＶａに対し、上昇（Ｖｃ）したり、減少（Ｖｂ）したりするので、この変化を比較判別回路７で検出し、点灯装置１の寿命を判別することができる。
【００５７】
本実施形態において、高電圧波形の変化を検出する手段として、電圧値を比較するだけではなく、例えば、電圧波形の基準波形の許容範囲を設定しておき、その波形と実際の波形とを比較して、許容値を外れた場合に寿命と判定しても良い。また、高電圧の検出方法としても、直接その高電圧を検出するのではなく、例えばトランスＴ３にさらに巻線を追加して、その巻線に発生する電圧から検出しても良い。
【００５８】
本実施形態によれば、点灯装置の寿命末期時に高電圧波形の変化により点灯装置の寿命を判別することができる。
【００５９】
（実施形態１６）
本実施形態は実施形態１〜１５において、寿命判別の基準値として予め決められた絶対値を基準に寿命判別するのではなく、その検出値の初期値を記憶しておき、その初期値からの変化量にて寿命判別を行うようにしたものである。
【００６０】
本実施形態によれば、それぞれの検出値の初期のばらつきに関係なく、点灯装置の寿命を判別することができ、効果的である。
【００６１】
（実施形態１７）
図２３、図２４に実施形態１７を示す。本実施形態は実施形態１〜１５に示した寿命判別回路５内の寿命判別基準値であるＶｒｅｆを回路内の定電圧Ｖｃｃから抵抗Ｒ１とＲ２の分圧により生成させたものにおいて、抵抗Ｒ１またはＲ２を変えることにより、判別する寿命時間を変化させることができるようにしたものである。
【００６２】
また、変更する抵抗Ｒ２ａ，Ｒ２ｂ，Ｒ２ｃをあらかじめプリント基板に実装しておいて、ジャンパー線等により接続を変更して切り替えたり、ジャンパー線の代わりにディップスイッチ等で切り替えるようにしても良い。
【００６３】
また、Ｖｒｅｆの設定自体をマイコン等のＩＣ内部で設定する場合には、マイコン内のプログラム変更により切り替えたりしても良い。
【００６４】
以上、本実施形態によれは、点灯装置を寿命であると判別する判別条件を自由に設定することができ、点灯装置の用途・機種に応じて容易に変更することが可能となる。
【００６５】
（実施形態１８）
本実施形態では実施形態１〜１７で述べたような点灯装置を搭載した照明器具の構成を例示する。図２５は光源として放電灯２灯を点灯可能な一般的な２灯用富士形照明器具の正面図である。図中、２１〜２４はソケット、Ｒは反射板、Ｌａ１，Ｌａ２は放電灯である。尚、放電灯点灯装置としては、２灯用の放電灯点灯装置１台あるいは１灯用の放電灯点灯装置２台を器具本体内に搭載している。
【００６６】
（実施形態１９）
図２６は本発明の実施形態１９に係る照明システムの全体構成を示す説明図である。本実施形態では、実施形態１８に記載した照明器具複数台を制御装置にて一括制御する照明システムについて説明する。実施形態１８に記載した照明器具Ｋ−１〜Ｋ−１２が人体感知センサー、及びプログラム制御可能なシステムを備えた制御装置Ｓに接続されている。本実施形態においては、照明器具Ｋ−１〜Ｋ−９にランプ負荷としてＦＨＦ３２を装着し、外光の入る窓側の照明器具Ｋ−１０〜Ｋ−１１には、光束はＦＨＦ３２より低いがコストの安いＦＬＲ４０／３６を装着している。制御装置Ｓの特徴として、人体感知センサーにより人を感知すると放電灯が点灯し、人が不在となると消灯する機能や、負荷の装着状況の入力、任意の照明器具の点灯、消灯条件の設定が可能であるプログラム制御機能を有している。制御装置Ｓは、各照明器具Ｋ−１〜Ｋ−１２の寿命判別回路から寿命判別信号を受信して表示する表示装置の機能を兼用していても良い。
【図面の簡単な説明】
【００６７】
【図１】本発明の実施形態１の回路図である。
【図２】本発明の実施形態１の動作説明図である。
【図３】本発明の実施形態２の回路図である。
【図４】本発明の実施形態２の動作説明図である。
【図５】本発明の実施形態４の回路図である。
【図６】本発明の実施形態４の動作説明図である。
【図７】本発明の実施形態５の回路図である。
【図８】本発明の実施形態５の動作説明図である。
【図９】本発明の実施形態６の回路図である。
【図１０】本発明の実施形態６の動作説明図である。
【図１１】本発明の実施形態７の回路図である。
【図１２】本発明の実施形態７の動作説明図である。
【図１３】本発明の実施形態７の動作説明図である。
【図１４】本発明の実施形態８の回路図である。
【図１５】本発明の実施形態８の動作説明図である。
【図１６】本発明の実施形態９の動作説明図である。
【図１７】本発明の実施形態１１の回路図である。
【図１８】本発明の実施形態１２の回路図である。
【図１９】本発明の実施形態１４の回路図である。
【図２０】本発明の実施形態１４の動作説明のための波形図である。
【図２１】本発明の実施形態１５の回路図である。
【図２２】本発明の実施形態１５の動作説明のための波形図である。
【図２３】本発明の実施形態１７の回路図である。
【図２４】本発明の実施形態１７の一変形例の回路図である。
【図２５】本発明の実施形態１８の照明器具の正面図である。
【図２６】本発明の実施形態１９の照明システムの全体構成図である。
【符号の説明】
【００６８】
１    点灯装置
２    整流回路
３    点灯回路
４    電圧検出回路
５    寿命判別回路
Ｌａ  光源（ランプ）
【図１】
2006236666.tif 000003
【図２】
2006236666.tif 000004
【図３】
2006236666.tif 000005
【図４】
2006236666.tif 000006
【図５】
2006236666.tif 000007
【図６】
2006236666.tif 000008
【図７】
2006236666.tif 000009
【図８】
2006236666.tif 000010
【図９】
2006236666.tif 000011
【図１０】
2006236666.tif 000012
【図１１】
2006236666.tif 000013
【図１２】
2006236666.tif 000014
【図１３】
2006236666.tif 000015
【図１４】
2006236666.tif 000016
【図１５】
2006236666.tif 000017
【図１６】
2006236666.tif 000018
【図１７】
2006236666.tif 000019
【図１８】
2006236666.tif 000020
【図１９】
2006236666.tif 000021
【図２０】
2006236666.tif 000022
【図２１】
2006236666.tif 000023
【図２２】
2006236666.tif 000024
【図２３】
2006236666.tif 000025
【図２４】
2006236666.tif 000026
【図２５】
2006236666.tif 000027
【図２６】
2006236666.tif 000028